(57)【特許請求の範囲】
【請求項１】
本構成用紙の束を一端が整合された状態で支持する本構成用紙支持手段、
表紙用紙を支持する表紙用紙支持手段、
前記束の前記一端に接着剤を塗布する塗布手段及び、
前記表紙用紙を収納する表紙用紙収納部を有し、前記表紙用紙収納部から前記表紙用紙支持手段に前記表紙用紙を搬送し、前記本構成用紙の束に前記塗布手段により接着剤を塗布し、前記本構成用紙の束と前記表紙用紙とを接合することにより、本を形成する製本装置であって、
前記本構成用紙支持手段、前記表紙用紙支持手段及び前記表紙用紙収納部を上からこの順に配置したことを特徴とする製本装置。
【請求項２】
前記表紙用紙支持手段と前記表紙用紙収納部との間に前記表紙用紙を搬送する搬送路を配置したことを特徴とする請求項１に記載の製本装置。
【請求項３】
前記搬送路はＵターン搬送路を有し、該Ｕターン搬送路に前記表紙用紙を裁断する裁断手段を設けたことを特徴とする請求項２に記載の製本装置。
【請求項４】
前記Ｕターン搬送路で囲まれる部分に前記表紙用紙の切り屑を収容する屑箱を設けたことを特徴とする請求項１〜３のいずれか１項に記載の製本装置。
【請求項５】
本構成用紙を集積する集積部、
前記集積部に集積された本構成用紙の束を一端が整合された状態で支持する本構成用紙支持手段、
表紙用紙を支持する表紙用紙支持手段、
前記束の前記一端又は前記表紙用紙に接着剤を塗布する塗布手段及び、
前記表紙用紙を収納する表紙用紙収納部を有し、前記表紙用紙収納部から前記表紙用紙支持手段に前記表紙用紙を搬送し、前記本構成用紙の束に前記塗布手段により接着剤を塗布し、前記本構成用紙と前記表紙用紙を接合することにより、本を形成する製本装置であって、
前記本構成用紙支持手段、前記表紙用紙支持手段及び前記表紙用紙収納部が上からこの順に配置されるとともに、
前記集積部に本構成用紙を供給する第１搬送路及び前記表紙用紙収納部から前記表紙用紙支持手段に表紙用紙を搬送する第２搬送路を有し、前記第１搬送路と前記第２搬送路とが交差することなく、上下に配置されたことを特徴とする製本装置。
【請求項６】
前記第２搬送路はＵターン搬送路を有し、該Ｕターン搬送路に前記表紙用紙を裁断する裁断手段を設けたことを特徴とする請求項５に記載の製本装置。
【請求項７】
前記Ｕターン搬送路で囲まれる部分に前記表紙用紙の切り屑を収容する屑箱を設けたことを特徴とする請求項５又は請求項６に記載の製本装置。
【発明の詳細な説明】
【技術分野】
【０００１】
本発明は画像形成装置との組み合わせで使用される小型の製本装置及び該製本装置と画像形成装置とが結合された画像形成システムに関する。
【背景技術】
【０００２】
電子写真方式の画像形成装置は高速性能を有することから、比較的少量部数を印刷する軽印刷装置としての用途が拡大している。
【０００３】
画像形成装置を印刷装置として用いる場合には、印刷物を製本する製本装置と結合することにより、印刷から製本までを１台の装置で行うことが可能となる。
【０００４】
特許文献１では、画像形成装置と印刷装置を結合可能とするために、小型化された製本装置が提案されている。
【特許文献１】特開２００４−２０９８７０号公報
【発明の開示】
【発明が解決しようとする課題】
【０００５】
製本装置を画像形成装置と結合する場合には、大量の印刷物を高速度で製本処理する大量生産ではなく、むしろ、画像形成装置における画像形成に同期して作動することができる自在性に富み、且つ、高効率で作動する性能が必要になる。特許文献１の製本装置は、効率良く製本処理を行うという点で十分ではなく、改良すべき点がある。
【０００６】
特許文献１の製本装置では、特に、表紙用紙を収納する表紙用紙収納部が製本装置の上面部に配置されているために、小型化する上で、或いは、効率を向上する上で問題がある。
【０００７】
即ち、装置の上面部に表紙用紙収納部があるために、多数枚の表紙用紙を収納することが困難であり、また、本構成用紙の束と表紙用紙を接合する接合部は、本構成用紙を集積して束を形成し、束の１端に表紙用紙を接合するという工程の性質上、接合部が装置の下部となる関係で、表紙用紙の搬送路が長く、複雑になって、表紙の接合部への給紙に時間がかかり効率の向上に限界がある。
【０００８】
本発明は、従来技術におけるこのような問題を解決し、小型で、高効率で作動する製本装置を提供することを目的とする。
【課題を解決するための手段】
【０００９】
前記目的は下記の発明により達成される。
（請求項１）
本構成用紙の束を一端が整合された状態で支持する本構成用紙支持手段、
表紙用紙を支持する表紙用紙支持手段、
前記束の前記一端に接着剤を塗布する塗布手段及び、
前記表紙用紙を収納する表紙用紙収納部を有し、前記表紙用紙収納部から前記表紙用紙支持手段に前記表紙用紙を搬送し、前記本構成用紙の束に前記塗布手段により接着剤を塗布し、前記本構成用紙の束と前記表紙用紙とを接合することにより、本を形成する製本装置であって、
前記本構成用紙支持手段、前記表紙用紙支持手段及び前記表紙用紙収納部を上からこの順に配置したことを特徴とする製本装置。
（請求項２）
前記表紙用紙支持手段と前記表紙用紙収納部との間に前記表紙用紙を搬送する搬送路を配置したことを特徴とする請求項１に記載の製本装置。
（請求項３）
前記搬送路はＵターン搬送路を有し、該Ｕターン搬送路に前記表紙用紙を裁断する裁断手段を設けたことを特徴とする請求項２に記載の製本装置。
（請求項４）
前記Ｕターン搬送路で囲まれる部分に前記表紙用紙の切り屑を収容する屑箱を設けたことを特徴とする請求項１〜３のいずれか１項に記載の製本装置。
（請求項５）
本構成用紙を集積する集積部、
前記集積部に集積された本構成用紙の束を一端が整合された状態で支持する本構成用紙支持手段、
表紙用紙を支持する表紙用紙支持手段、
前記束の前記一端又は前記表紙用紙に接着剤を塗布する塗布手段及び、
前記表紙用紙を収納する表紙用紙収納部を有し、前記表紙用紙収納部から前記表紙用紙支持手段に前記表紙用紙を搬送し、前記本構成用紙の束に前記塗布手段により接着剤を塗布し、前記本構成用紙と前記表紙用紙を接合することにより、本を形成する製本装置であって、
前記本構成用紙支持手段、前記表紙用紙支持手段及び前記表紙用紙収納部が上からこの順に配置されるとともに、
前記集積部に本構成用紙を供給する第１搬送路及び前記表紙用紙収納部から前記表紙用紙支持手段に表紙用紙を搬送する第２搬送路を有し、前記第１搬送路と前記第２搬送路とが交差することなく、上下に配置されたことを特徴とする製本装置。
（請求項６）
前記第２搬送路はＵターン搬送路を有し、該Ｕターン搬送路に前記表紙用紙を裁断する裁断手段を設けたことを特徴とする請求項５に記載の製本装置。
（請求項７）
前記Ｕターン搬送路で囲まれる部分に前記表紙用紙の切り屑を収容する屑箱を設けたことを特徴とする請求項５又は請求項６に記載の製本装置。
【発明の効果】
【００１０】
請求項１〜７の発明により、本構成用紙支持手段が一番上に配置され、表紙用紙収納部が一番下に配置された構成であるので、本構成用紙を上方から供給する一方、表紙用紙を下方から供給し、中間位置においてこれら用紙を合わせて本が作成されるので、用紙の流れが円滑、且つ、効率的に行われ、高い効率で製本を行うことが可能となる。
【００１１】
請求項３又は請求項６の発明により、装置を大型化することなく、表紙用紙を裁断する裁断手段を設けることができる。
【００１２】
請求項４又は請求項７の発明により、装置を大型化することなく、表紙用紙を裁断することにより発生する切り屑を収容する容器を設けることができる。
【００１３】
請求項５の発明により、本構成用紙搬送路と表紙用紙搬送路が交差しないので、本構成用紙の搬送と表紙用紙の搬送を独立して行うことができるので、本構成用紙の束と表紙用紙の接合前の準備工程を独立させることができ、製本を高い効率で行うことが可能となる。
【発明を実施するための最良の形態】
【００１４】
図示の実施の形態により本発明を説明するが、本発明は該実施の形態に限られない。
【００１５】
図１は本発明の実施の形態に係る画像形成システムの全体を示す図である。
【００１６】
画像形成システムは画像形成装置Ａ及び製本装置Ｂを有する。
【００１７】
画像形成装置Ａは電子写真方式により用紙に画像を形成するものであり、画像形成部Ａ１、原稿搬送装置Ａ２、画像読取部Ａ３及び通信部Ａ４を有する。
【００１８】
画像形成部Ａ１において、ドラム状の感光体１の周囲に帯電装置２、露光装置３、現像装置４、転写装置５Ａ、分離装置５Ｂ及びクリーニング装置６が配置され、これらの電子写真プロセス装置により、帯電、露光、現像及び転写が行われて感光体１上にトナー像が形成され、用紙Ｓ１に画像が形成される。
【００１９】
用紙Ｓ１は３個の給紙トレイ７Ａに収納されており、これらの給紙トレイ７Ａから用紙Ｓ１が１枚ずつ給紙され、転写装置５Ａにより、感光体１上のトナー像が用紙Ｓ１に転写される。
【００２０】
用紙Ｓ１に転写されたトナー像が定着装置８を通過して定着処理される。定着処理された用紙Ｓ１は、排紙ローラ７Ｃから排紙されるか又は再給紙路７Ｅに搬送される。
【００２１】
片面プリントにおけるフェースダウン排紙、片面プリントにおけるフェースアップ排紙又は両面画像形成における表面画像形成において、切り替えゲート７Ｄが用紙Ｓ１を切り替え案内する。即ち、フェースアップ排紙においては、切り替えゲート７Ｄは用紙Ｓ１を直進させ、フェースダウン排紙及び両面画像形成においては、切り替えゲート７Ｄは用紙Ｓ１を下方に案内する。
【００２２】
フェースダウン排紙においては、用紙Ｓ１は下方に案内された後に、スイッチバックして上方に搬送され、排紙ローラ７Ｃから排紙される。
【００２３】
両面画像形成においては、用紙Ｓ１は下方に案内され、スイッチバックによる表裏反転後に再給紙路７Ｅを経て、転写装置５Ａが配置された転写部に再給紙され、裏面画像の転写が行われる。
【００２４】
原稿搬送装置Ａ２は原稿を１枚ずつ読取位置に搬送する。画像読取部Ａ３は原稿搬送装置Ａ２により搬送された原稿又は原稿台９に載置された原稿の画像を読み取って、画像信号を生成する。通信部Ａ４はネットワーク機器と通信を行い、ネットワークから送信された画像形成指令を受けて画像信号を生成する。
【００２５】
製本装置Ｂは画像形成装置Ａから送り込まれた本構成用紙を複数枚束ねて本構成用紙の束を構成し、該束に表紙用紙を接合して本を形成する装置である。以下の説明において、本構成用紙を用紙Ｓ１と言い、表紙用紙を表紙Ｓ２と言い、本構成用紙に表紙用紙が接合された本を本Ｓ３と言う。
【００２６】
製本装置Ｂは、画像形成装置Ａから排出された用紙Ｓ１を排紙皿２０又は用紙反転部４０に搬送する搬送部１０、排紙皿２０、用紙反転部４０、１枚ずつ又は数枚ずつ送りこまれた用紙Ｓ１を集積する集積部５０、塗布手段６０、表紙Ｓ２を収納する表紙用紙収納部８０、表紙を支持する表紙支持部９０及び本排出部１００を有する。
【００２７】
集積部５０は後に説明するように、支持板５０２及び受け板５０６を有し、支持板５０２は本構成用紙支持手段を構成する。また、表紙支持部９０は表紙用紙支持手段９０１を有する（図２参照）。
【００２８】
図から明らかなように、本構成用紙支持手段を有する集積部５０、表紙用紙支持手段を有する表紙支持部９０及び表紙用紙収納部８０は上からこの順に配置される。そして、集積部５０に本構成用紙を搬送する第１搬送路としての搬送路１３と、表紙支持部９０に表紙用紙を搬送する第２搬送路としてのＵターン搬送路８０６とは互いに交差することなく、上下に配置される。
【００２９】
このような各部の配置及び搬送路の配置により、本構成用紙を上から供給する一方、表紙用紙を下から供給し、中間位置において製本を行うことが可能となり、製本工程の効率が向上するとともに、装置が小型化される。また、表紙用紙の質量が大きくなった場合でも、質量の増大に対応した装置の剛性強化の必要性が軽減されるので、表紙用紙収納部の容量を大きくすることが可能となり、多数枚の表紙用紙の収納が可能となる。
【００３０】
画像形成装置Ａから排出された用紙Ｓ１は搬送部１０に設けられた切り替えゲート１１により排出路１２を経て排紙皿２０に排出されるか又は用紙反転部４０に搬送される。排紙皿２０には、製本処理モードでない場合に用紙Ｓ１が排出される。
【００３１】
製本モードにおいては、用紙Ｓ１は搬送路１３を経て用紙反転部４０に搬送され、用紙反転部４０においてスイッチバックした後に、集積部５０に搬送される。集積部５０においては、設定された枚数の用紙Ｓ１が集積され、集積部５０は設定枚数が集積した段階で回転して、用紙Ｓ１の束をほぼ垂直状態で保持する。
【００３２】
垂直状態で集積部５０により保持された用紙Ｓ１の束の下面に、塗布手段６０により接着剤が塗布される。
【００３３】
接着剤が塗布された用紙Ｓ１の束に表紙Ｓ２が接触し、接着される。
【００３４】
用紙Ｓ１の束に表紙Ｓ２が接着されて作成された本Ｓ３は本排出部１００に排出される。
【００３５】
以下製本装置各部について図２以下を参照して詳細に説明する。図２は製本装置Ｂの正面断面図である。
【００３６】
搬送路１３を搬送された用紙Ｓ１は排紙ローラ１４で排出され、搬送ローラ４０１で搬送され、傾斜した反転皿４０２を上昇した後に、搬送ローラ４０１が回転を反転して、用紙Ｓ１を下方に搬送する。下方に搬送された用紙Ｓ１は集積部５０に落下し集積する。集積部５０は支持板５０２及び受け板５０６を有し、用紙反転部４０を下降した用紙Ｓ１は支持板５０２及び受け板５０６により傾斜状態で支持される。
【００３７】
画像形成装置Ａから順次排出された用紙Ｓ１は集積部５０に集積され、用紙Ｓ１の束が形成される。束を形成する用紙Ｓ１の枚数は、設定部（図示せず）において設定されている。５０４は集積された用紙Ｓ１の浮き上がりを抑える抑え部材であり、用紙Ｓ１が集積部５０に供給される毎に上下移動して用紙Ｓ１を抑える。５０５は用紙Ｓ１の側縁を整合する整合板である。
【００３８】
設定された枚数の用紙Ｓ１が集積された段階で、保持板５０３が作動して、用紙Ｓ１の束を保持する。
【００３９】
用紙Ｓ１の束を保持した状態で集積部５０が軸５０１を軸にして回転して、用紙Ｓ１の束を傾斜状態から垂直状態にする。
【００４０】
図３は用紙Ｓ１の束を集積部５０に垂直状態で保持し、接着剤を塗布する工程を示す。
【００４１】
塗布工程の前に、本構成用紙支持手段を構成する保持板５０３による用紙の保持を説明する。
【００４２】
モータＭ４の駆動で保持板５０３が移動して、用紙Ｓ１の束を押圧し、押圧による駆動トルクの増大を検知して停止することにより、用紙Ｓ１の束が支持板５０２と保持板５０３により強固に保持される。このように、支持板５０２及び保持板５０３は用紙Ｓ１の束を支持する本構成用紙支持手段を構成する。保持板５０３の停止位置はエンコーダ５０９により検知され、位置検知手段５１１の記憶装置に記憶される。
【００４３】
用紙Ｓ１の束が保持された段階で、受け板５０６がモータ（図示せず）により９０°回転して、図３（ｂ）に示すように退避する。
【００４４】
図３（ｂ）の状態では、図３（ｃ）に示すように、用紙Ｓ１の束の下面ＳＡ（図３における下面）が塗布ローラ６２から離れている。
【００４５】
次に図３（ｄ）に示すように、ホットメルト接着剤６３が収容されている塗布手段６０が上昇して、塗布ローラ６２の周面上の接着剤層が用紙Ｓ１の束の図における下面ＳＡに接触し、塗布手段６０が図３の紙面に直角な方向に移動して接着剤６３を用紙Ｓ１の束の下面ＳＡに塗布する。なお、接着剤６３は接着剤容器６６に固形の形態で収容されており、ヒータ６４で加熱され、溶融して塗布手段６０に供給される（図４参照）。塗布手段６０は接着剤６３を収容する容器及び塗布ローラ６２を有し、図２、３の紙面に直角な方向（図４における左右方向）に移動する。
【００４６】
図３（ｃ）の塗布前段階から図３（ｄ）の塗布段階を図４により説明する。
【００４７】
製本開始の段階では、塗布手段６０は図４（ａ）のように、ホームポジションである右端位置（第１位置）にある。塗布手段６０のホームポジションは図４（ａ）に示す右端位置であり、製本工程の開始時にホームポジションから左方向に移動するが、このホームポジションから左端位置（第２位置）への移動は、モータＭ３で駆動されるベルト６７（第２移動手段）の駆動で、反転皿４０２（図２に示す）の直ぐ下流に設けられた用紙センサＳＥにより、集積部５０に集積される用紙Ｓ１の最後の用紙Ｓ１の先端通過を検知した信号に基づいて行われる。塗布手段６０が左端位置に移動する過程では、塗布ローラ６２は用紙Ｓ１の束の下面ＳＡから離れている。
【００４８】
そして、塗布手段６０が左端位置から右端位置に向けて移動する図４（ｂ）の段階で、塗布ローラ６２がモータＭ２の駆動で上昇して用紙Ｓ１の下面ＳＡに接触して接着剤６３の塗布を行う。図４（ｂ）の塗布工程の開始は、用紙Ｓ１の束が垂直状態の塗布可能な状態に設定されたときに、表紙用紙裁断後の一時停止を見て、塗布を開始するようにタイミング制御される。
【００４９】
このようなタイミング制御により、各部の作動が連続的に実行され、高い効率で製本処理効が行われる。
【００５０】
塗布手段６０がホームポジションに移動した後に、表紙Ｓ２の接合が行われる。
【００５１】
図５は表紙Ｓ２の接合工程を示す。
【００５２】
表紙Ｓ２は図２に示すように、製本装置Ｂの下部に設けられた表紙用紙収納部８０の給紙トレイ８０１に収納されており、送り出しローラ８０２により搬送され、表紙用紙支持部９０において整合された後、スイッチバックし、裁断手段としてのカッター８１により用紙Ｓ１の束に対応した長さに裁断され、搬送ローラにより搬送され、表紙用紙支持手段９０１上に水平状態で載置される。鎖線で示す表紙用紙支持手段９０１は押圧部材９１、９２、押圧部材９１、９２を駆動するカム９３、９４等の複数の部材で構成される。
【００５３】
なお、カッター８１は表紙Ｓ２のサイズの情報、用紙Ｓ１のサイズの情報及び位置検知手段５１１において記憶されている用紙Ｓ１の束の厚さの情報に基づいた長さに表紙Ｓ２を裁断する。従って、図７に示すように、本Ｓ３における用紙Ｓ１と表紙Ｓ２の見開き側端部Ｓ１Ｅ、Ｓ２Ｅが揃うようになる。また、表紙Ｓ２の切り屑は屑容器８２に収容される。
【００５４】
図５（ａ）は接着剤６３の塗布が完了した状態を示す。図５（ａ）の状態では、表紙用紙支持手段９０１は図２に示すように、用紙Ｓ１の束の下面から離れた下方位置で表紙Ｓ２を支持している。
【００５５】
次に表紙用紙支持手段９０１はベルト９９Ａ、９９Ｂ（第１移動手段、図２に示す）により駆動されて上昇し、図５（ｂ）に示す状態となり、表紙Ｓ２を用紙Ｓ１の束の下面ＳＡ、即ち、接着剤塗布面に接触させる。なお、表紙押さえ部材９５、９６、９７は表紙用紙支持手段９０１と一緒に上昇し、下降する。従って、図５（ｂ）に示すように、表紙用紙支持手段９０１が上昇した時に表紙押さえ部材９５、９６、９７は表紙Ｓ１を上から押さえており、上昇後押さえを解除し、表紙Ｓ２を平面状態に保持する。
【００５６】
表紙用紙支持手段９０１は図５（ｂ）の位置から更に、数ｍｍ上昇する。この数ｍｍ上昇した位置が図５（ｃ）に示す位置である。上昇した後に折り曲げ手段としての押圧部材９１、９２は表紙Ｓ２を左右から押圧し、背表紙と表表紙の境界及び背表紙と裏表紙との境界に角を付与して、表紙Ｓ２を用紙Ｓ１に密着させ、本が形成される。
【００５７】
図５に示す表紙Ｓ２の接合工程は、塗布手段６０が図４（ａ）のホームポジションに戻った直後に開始される。従って、接着剤６３の塗布完了直後から表紙Ｓ２の接合工程が開始されるので、塗布された接着剤６３が接合前に乾燥することが防止され、乾燥による接着不良が防止される。
【００５８】
表紙用紙支持手段９０１の図５に示す上昇・下降はモータ（図示せず）により駆動されるベルト９９Ａ、９９Ｂにより行われ、また、押圧部材９１、９２の左右方向の移動はモータ（図示せず）により駆動されるカム９３、９４（カム形状を図８に示す）により行われる。但し、押圧部材９１、９２はカムにより駆動うる構成以外にも、押圧部材にラックを設け、該ラックに噛み合うピニオンを回転させて移動させ構成など、周知の駆動機構を用いることが出来る。
【００５９】
さらに、ベルト９８Ａ、９８Ｂは図２に示す表紙用紙支持手段９０１がホームポジションにある状態では、表紙用紙支持手段９０１の上面図である図８の実線で示す位置にあって、表紙Ｓ２を支持し、搬送するが、図５（ｂ）、（ｃ）に示すように、表紙用紙支持手段９０１が上昇し、下降する工程では、図８の鎖線で示す退避位置に移動して、表紙Ｓ２及び表紙用紙支持手段９０１が上昇・下降するスペースを形成する。
【００６０】
表紙Ｓ２の接合後の表紙Ｓ２の処理について、図６、９により説明する。
【００６１】
表紙Ｓ２の接合が完了すると、図６に示すように、表紙用紙支持手段９０１がベルト９９Ａ、９９Ｂにより駆動されて落下し、ホムポジションに戻る。
【００６２】
表紙用紙支持手段９０１がホームポジションに戻る図６の戻り工程において、表紙押さえ部材９５〜９７は矢印で示すように、これらの支持軸を中心に回転して、ほぼ垂直状態になるが、ホームポジションに戻った段階で、表示押さえ部材９５〜９７は再度回転して垂直状態から水平状態になる。
【００６３】
続いて、保持板５０３が退避位置に移動するとともに、押圧部材９１、９２が押圧を解除する。これにより、用紙Ｓ１の束及び表紙Ｓ２からなる本が表紙用紙支持手段９０１上に落下する。図９（ａ）は、このようにして本Ｓ３が表紙用紙支持手段９０１により支持され、表紙押さえ部材９５〜９７が表紙Ｓ２の下に位置した状態を示す。
【００６４】
図９（ａ）の状態において、ベルト９８Ａ、９８Ｂが矢印のように移動を開始するとともに、用紙押さえ部材９５〜９７が回転して表紙Ｓ２を押し上げる。本Ｓ３はベルト９８Ａ、９８Ｂにより左方向に搬送されるが、用紙押さえ部材９６、９７により上部が移動を阻止されるので、図９（ｂ）、（ｃ）に示すように右方に倒れ、ベルト９８Ａ、９８Ｂ上に倒伏し、更に搬送されることにより、表紙Ｓ２が表紙押さえ部材９６、９７により押さえられて図９（ｃ）に示すように用紙Ｓ１に密着する。
【００６５】
ベルト９８Ａ、９８Ｂにより本Ｓ３が搬送され、図２の本排出部１００に排出される。
【００６６】
排紙台１０１はベルト駆動で上下し、本Ｓ３が載置された排紙台１０１が下降して、本Ｓ３をベルト１０２に受け渡し、本Ｓ３がベルト１０２により搬送されて製本装置Ｂから排出される。
【００６７】
次に、表紙Ｓ２の供給について、図１０〜１２を参照して詳細に説明する。図１０は表紙Ｓ２の搬送路全体を示し、図１１はＵターン搬送路の拡大図であり、図１２はＵターン搬送路の斜視図である。
【００６８】
図１０に示すように表紙Ｓ２は給紙トレイ８０１に収納されており、一旦右方向に搬送された後に、Ｕターン搬送路８０６を上方に搬送され、更に、左方向に方向転換して表紙用紙支持手段９０１へと搬送される。表紙用紙支持手段９０１に搬送された後に、表紙Ｓ２はスイッチバックし、右方に搬送され、表紙Ｓ２の先頭部（右端部）がカッター８１の位置に到達した状態で停止し、表紙先頭部（右端部）がカッター８１で裁断される。
【００６９】
裁断後に表紙Ｓ２は再び左方に搬送され、表紙用紙支持手段９０１上の所定位置まで搬送されて停止する。この停止した状態で前記に説明したように用紙Ｓ１の束と接合される。
【００７０】
給紙トレイ８０１からの表紙Ｓ２の送り出しは、送り出しローラ８０２により行われ、捌きローラと搬送ローラからなる分離ローラ８０３により１枚に分離される。
【００７１】
表紙Ｓ２は形成するガイド８０５により形成されるＵターン搬送路８０６を複数の搬送ローラ８０４により搬送され、更に、搬送ローラ８０７及びベルト９８により搬送されて支持手段９０１上を左方に進行する。
【００７２】
表紙Ｓ２の左端がセンサ８１６により検知され、検知信号により搬送ローラ９０Ｒ（図１０参照）が停止し、表紙Ｓ２は停止する。停止後、搬送ローラ９０Ｒ及び搬送ローラ８０７が給紙時と反対方向に作動して、表紙Ｓ２は右方に搬送される。表紙Ｓ２の右方への走行時には、ガイド８０８により案内されて、Ｕターン搬送路８０６へは進行せず、水平方向に進行する。ペットフィルムからなるガイド８１０によりこのような搬送路の切り替えが確実に行われる。
【００７３】
表紙Ｓ２の右端がセンサ８１５を通過した後、所定長走行した時点でモータＭ５が停止する。モータＭ５はステッピングモータからなり、センサ８１５を表紙Ｓ２の右端が通過してから所定数のパルスでモータＭ５が停止する。
【００７４】
表紙Ｓ２の停止後に、カッター８１により表紙Ｓ２の右端部が裁断される。
【００７５】
カッター８１は図１２に示すように、円盤カッター８１１及び刃受け部材８１２を有する。円盤カッター８１１はプーリ８１４、８１５により駆動されるベルト８１６に固定された刃支持ブロック８０９に固定されており、図１２の矢印で示すように移動して、表紙Ｓ２を裁断する。８１３は刃支持ブロック８０９の移動を案内する案内レールである。
【００７６】
このようにセンサ８１５の右端検知から所定長走行した位置で停止した表紙Ｓ２を裁断することにより、表紙Ｓ２は所定の長さに裁断される。
【００７７】
パルスの前記所定数は、位置検知手段５１１に記憶されている用紙Ｓ１の厚さに応じて設定される。用紙Ｓ１としては、例えば、Ａ４サイズのように所定サイズのものが使用されるので、用紙Ｓ１の束の厚さを考慮して表紙Ｓ２の長さを決定することにより、図７に示すように、用紙Ｓ１の端と表紙Ｓ２の端とが正確に一致するようになる。
【００７８】
裁断処理後の切り屑Ｓ３ａは屑箱８２に収納される。屑箱８２はレール８２２によりガイドされて図１０における紙面手前方向に取り出し可能であり、また、屑箱８２の図１０における右方側壁８２１は搬送路８０６のガイドを形成する。
【００７９】
裁断処理後、モータＭ５が再逆転して、搬送ローラ８０７及び９０Ｒが表紙Ｓ２を図１０、１２の左方へ搬送する。そして、表紙Ｓ２の左端がセンサ８１６を通過した信号に基づいて搬送ローラ９０Ｒが停止して、表紙Ｓ２が所定位置に停止する。
【００８０】
表紙Ｓ２を所定位置に停止させた後に、前記に説明したように、表紙用紙支持手段９０１が上昇して、本構成用紙Ｓ１の束と表紙Ｓ２とが接合される。
【図面の簡単な説明】
【００８１】
【図１】本発明の実施の形態に係る画像形成システムの全体を示す図である。
【図２】本発明の実施の形態に係る製本装置の正面断面図である。
【図３】接着剤の塗布工程を示す図である。
【図４】塗布ヘッドの移動を示す図である。
【図５】本構成用紙に表紙用紙を接合する工程を示す図である。
【図６】本構成用紙に表紙用紙を接合する工程を示す図である。
【図７】本の側面図である。
【図８】表紙用紙支持手段の上面図である。
【図９】接合後の表紙の処理を説明する図である。
【図１０】表紙Ｓ２の搬送路全体を示す図である。
【図１１】Ｕターン搬送路の拡大図である。
【図１２】Ｕターン搬送路の斜視図である。
【符号の説明】
【００８２】
Ａ  画像形成装置
Ｂ  製本装置
５０  集積部
５０２  支持板
５０３  保持板
５０６  受け板
６０  塗布手段
８１  カッター
９８Ａ、９８Ｂ、９９Ａ、９９Ｂ  ベルト
９０１  表紙用紙支持手段
Ｓ１  用紙
Ｓ２  表紙
【図１】
0004591272.tif 000002
【図２】
0004591272.tif 000003
【図３】
0004591272.tif 000004
【図４】
0004591272.tif 000005
【図５】
0004591272.tif 000006
【図６】
0004591272.tif 000007
【図７】
0004591272.tif 000008
【図８】
0004591272.tif 000009
【図９】
0004591272.tif 000010
【図１０】
0004591272.tif 000011
【図１１】
0004591272.tif 000012
【図１２】
0004591272.tif 000013